(57)【要約】【課題】  棚の支持部分の強度確保及び脱落防止を図った冷蔵庫を提供することを目的とする。【解決手段】  冷蔵庫本体１に形成された貯蔵室２と、貯蔵室２内に設けられて貯蔵物が載置される棚１１ａと、貯蔵室２の壁面に設けられて棚１１ａを支持する突部６１と、を備えた冷蔵庫において、突部６１は貯蔵室２の奥行き方向に前側突部６１ａと後側突部６１ｂに分割されて、前側突部６１ａと後側突部６１ｂの間で貯蔵室２の側壁と連結して棚１１ａの移動を規制する支持部材８０を設ける。【選択図】図３Ａ
2014052107.tif 000002
【特許請求の範囲】
【請求項１】
冷蔵庫本体に形成された貯蔵室と、該貯蔵室内に設けられて貯蔵物が載置される棚と、前記貯蔵室の壁面に設けられて前記棚を支持する突部と、を備えた冷蔵庫において、
前記突部は前記貯蔵室の奥行き方向に前側突部と後側突部に分割されて、前記前側突部と前記後側突部の間で前記貯蔵室の側壁と連結して前記棚の移動を規制する支持部材を設けたことを特徴とする冷蔵庫。
【請求項２】
前記前側突部と前記後側突部との間に形成された取付孔に、前記支持部材の突起部が挿入されて連結したことを特徴とする、請求項１に記載の冷蔵庫。
【請求項３】
前記取付孔の投影位置を含む前記貯蔵室の壁面内部に固定手段が配置されて、前記支持部材の前記突起部は、前記固定手段に固定されることを特徴とする、請求項２に記載の冷蔵庫。
【請求項４】
前記支持部材は上面に凹形状を有し、前記棚は下方に向けて凸形状を有し、該凸形状が前記凹形状内に位置することで前記棚の移動が規制されることを特徴とする、請求項１乃至３のいずれかに記載の冷蔵庫。
【発明の詳細な説明】
【技術分野】
【０００１】
本発明は、冷蔵庫に関する。
【背景技術】
【０００２】
本技術分野の背景技術として、特開２０１２−７７５５号公報（特許文献１）がある。
【０００３】
特許文献１には、「前面に開口部を有する貯蔵室と、前記貯蔵室を上下に仕切るように配置される庫内棚と、前記貯蔵室の内側側壁に設けられて、前記庫内棚を支持する載置部と、前記載置部より前方に位置して、前記貯蔵室の内側側壁に設けられて、前記庫内棚を支持する支持部とを備え、前記支持部は、前記庫内棚の上下方向の移動を規制する」ことが記載されている（要約欄）。
【先行技術文献】
【特許文献】
【０００４】
【特許文献１】特開２０１２−７７５５号公報
【発明の概要】
【発明が解決しようとする課題】
【０００５】
しかしながら、特許文献１では、載置部と支持部は別体で離れて配置されていることから、載置部と支持部との間で庫内棚を支持していない部分が存在し、庫内棚の支持強度が不十分となる。また、支持していない部分が存在することで、庫内棚が前後、左右、上下のいずれかにずれて脱落するおそれがある。
【０００６】
そこで本発明は、棚の支持部分の強度確保及び脱落防止を図った冷蔵庫を提供することを目的とする。
【課題を解決するための手段】
【０００７】
上記課題を解決するために、例えば特許請求の範囲に記載の構成を採用する。本願は上記課題を解決する手段を複数含んでいるが、その一例を挙げるならば、冷蔵庫本体に形成された貯蔵室と、該貯蔵室内に設けられて貯蔵物が載置される棚と、前記貯蔵室の壁面に設けられて前記棚を支持する突部と、を備えた冷蔵庫において、前記突部は前記貯蔵室の奥行き方向に前側突部と後側突部に分割されて、前記前側突部と前記後側突部の間で前記貯蔵室の側壁と連結して前記棚の移動を規制する支持部材を設けたことを特徴とする。
【発明の効果】
【０００８】
本発明によれば、棚の支持部分の強度確保及び脱落防止を図った冷蔵庫を提供することができる。
【図面の簡単な説明】
【０００９】
【図１】本発明の実施例における冷蔵庫の構成を示す正面図である。
【図２Ａ】本発明の実施例における冷蔵室の扉を外した状態の冷蔵室の図である。
【図２Ｂ】図２Ａの部分斜視図である。
【図３Ａ】本発明の実施例における棚支持部の拡大斜視図である。
【図３Ｂ】本発明の実施例における棚支持部材を取り付けた状態の拡大斜視図である。
【図３Ｃ】本発明の実施例における棚支持部材を取り外した状態の拡大斜視図である。
【図４Ａ】本発明の実施例における棚支持部材と取付孔を貯蔵室内側から見た分解斜視図である。
【図４Ｂ】本発明の実施例における取付部を貯蔵室外側から見た分解斜視図である。
【図５】本発明の実施例における棚及び棚支持部材の断面図である。
【発明を実施するための形態】
【００１０】
本発明の実施の形態について、図面に基づいて説明する。まず、実施例の冷蔵庫の全体構成に関して、図１、図２Ａ、図２Ｂを用いて説明する。図１は、本発明の実施例における冷蔵庫の構成を示す正面図である。図２Ａは、本発明の実施例における冷蔵室の扉を外した状態の冷蔵室の図である。図２Ｂは、図２Ａの部分斜視図である。
【００１１】
冷蔵庫本体１には、上から冷蔵室２、冷凍室５、野菜室６が設けられて、冷蔵室２と冷凍室５の間には、製氷室４と上段冷凍室３が左右に併設されている。
【００１２】
各貯蔵室の前方には開口が形成されており、この開口を開閉する扉がそれぞれ設けられている。冷蔵室扉２ａ、２ｂは冷蔵室２の前方開口を閉じる扉、上段冷凍室扉３ａは上段冷凍室３の前方開口を閉じる扉、製氷室扉４ａは製氷室３の前方開口を閉じる扉、冷凍室扉５ａは冷凍室５の前方開口を閉じる扉、野菜室扉６ａは野菜室６の前方開口を閉じる扉である。冷蔵室扉２ａ、２ｂは、左右それぞれの端部のヒンジを介して回動することで、冷蔵室２の中央寄りから両側に開く両開きのフレンチタイプの扉で構成されている。上段冷凍室扉３ａ、製氷室扉４ａ、冷凍室扉５ａ、野菜室扉６ａは、引出し式の扉によって構成され、引出し扉とともにそれぞれの貯蔵室内の引出し容器が引出される。
【００１３】
冷蔵室２内部には、図２Ａ、図２Ｂに示すように、食品等の貯蔵物を載置するための棚１１ａ、１１ｂ、１１ｃ、１１ｄ、１１ｅ、１１ｆが複数段設けられている。
【００１４】
冷蔵室２内部の左右側面の壁には、各棚を支持するために奥行き方向に延在した突部６１、６２が、上下方向に複数設けられている。
【００１５】
なお、最上段の棚１１ａ、１１ｂは、中央仕切り５１を境に左右に独立して設けられており、棚１１ａ、１１ｂの高さ位置を変更できるように、中央仕切り５１にも突部６３が上下方向に複数設けられている。すなわち、棚１１ａは、左端が冷蔵室２の側壁のいずれかの突部６１に支持されて、右端が中央仕切り５１のいずれかの突部６３に支持される。棚１１ｂも同様に、右端が冷蔵室２の側壁のいずれかの突部６２に支持されて、左端が中央仕切り５１のいずれかの突部６３に支持される。
【００１６】
棚１１ｄ、１１ｅも同様に、中央仕切り５２を境に左右に独立して設けられている。棚１１ｄは、高さが変更できるように、冷蔵室２の側壁の複数の突部６２のいずれかと、中央仕切り５２側の複数の突部６３のいずれかによって支持されている。
【００１７】
また、図２Ａに示すように、棚１１ａの支持用に、冷蔵室２内部の側面壁には突部６１を複数有しており、中央仕切り５１の側面壁には突部６３を複数有している。突部６１は、図２Ｂに示すように、第一の位置の突部６１ａと第二の位置の突部６１ｂとが、異なる高さに設けられている。また、突部６３は、第一の位置の突部６３ａと第二の位置の突部６３ｂとが、異なる高さに設けられている。これにより、棚１１ａは、高さの異なる突部６１ａ、６１ｂ及び突部６３ａ、６３ｂとで位置を入れ替え、或いは棚１１ａの表裏を反対にしてから置き換えることで、使用者が所望の高さに変更できる。
【００１８】
次に、棚の支持部の構成について具体的に説明する。図３Ａは、本発明の実施例における棚支持部の拡大斜視図である。図３Ｂは、本発明の実施例における棚支持部材を取り付けた状態の拡大斜視図である。図３Ｃは、本発明の実施例における棚支持部材を取り外した状態の拡大斜視図である。なお、以下では棚１１ａを中心に説明するが、他の棚と支持部についても同様の構成とすることで、同様の効果を奏することができる。
【００１９】
突部６１は、冷蔵室２の奥行き方向に前側突部６１ｃと後側突部６１ｄに分割されている。後側突部６１ｄは、冷蔵室２の側壁の中央より手前側から後方まで延在しており、前側突部６１ｃは後側突部６１ｄと同程度の高さで所定距離隔てて手前側に延在している。
【００２０】
さらに、前側突部６１ｃと後側突部６１ｄの間には、前側突部６１ｃと後側突部６１ｄを同程度の高さ位置で冷蔵室２の側壁と連結する支持部材８０を設置している。支持部材８０の外形寸法は、冷蔵室２の側壁に連結した状態で、前側突部６１ｃと後側突部６１ｄの上下方向の高さ及び左右方向の幅と同程度である。
【００２１】
棚１１ａは、支持部材８０を含めた前側突部６１ｃと後側突部６１ｄに跨るように前端付近から後端付近まで載置されるため、棚１１ａから加わる荷重は各突部で分散支持されて、支持部材８０に荷重が集中しない構成となる。また、前側突部６１ｃと後側突部６１ｄは、上下方向の高さ及び左右方向の幅が同程度であり、棚１１ａの荷重が部分的に集中しないように配慮されている。
【００２２】
次に、支持部材の取付構成について説明する。図４Ａは、本発明の実施例における棚支持部材と取付部を貯蔵室内側から見た分解斜視図である。図４Ｂは、本発明の実施例における取付部を貯蔵室外側から見た分解斜視図である。
【００２３】
冷蔵室２の側壁には、前側突部６１ｃと後側突部６１ｄの間に取付孔８５が形成されている。取付孔８５は、前側突部６１ｃと後側突部６１ｄの上下方向の高さ寸法よりも小さい高さ寸法で形成する。これにより、支持部材８０を取付孔８５に連結させた場合、取付孔８５は外観上視認されず、意匠性を損なうことがない。
【００２４】
また、例えば、前側突部６１ｃと後側突部６１ｄに一部がかかるように取付孔８５が形成された場合、前側突部６１ｃと後側突部６１ｄの強度が低下して変形し、棚１１ａの支持が不十分となる結果、棚１１ａががたつくおそれがある。そこで、取付孔８５は、前側突部６１ｃと後側突部６１ｄのそれぞれと所定距離隔てて形成される。これにより、前側突部６１ｃと後側突部６１ｄの変形が抑制されて、棚１１ａを支持する強度を確保できる。
【００２５】
支持部材８０には取付孔８５に挿通する形状の突起部８０ｂが設けられている。この構成において、冷蔵室２の側壁の取付孔８５に、支持部材８０の突起部８０ｂが挿入されて、支持部材８０は冷蔵室２の側壁に連結される。
【００２６】
前側突部６１ｃの後端と後側突部６１ｄの前端は、図４Ａに示すように、それぞれ傾斜部６１ｃ１、６１ｄ１を有している。これにより、前側突部６１ｃの後端と後側突部６１ｄの前端において、棚１１ａから受ける荷重がなだらかに分散されるので、端部位置の強度を向上できる。また、傾斜部６１ｃ１、６１ｄ１は、支持部材８０の前後方向の両端部でそれぞれ覆われて、前側突部６１ｃ、支持部材８０、後側突部６１ｄが前後方向に一体感のある外観形状となる。
【００２７】
また、図４Ｂに示すように、取付孔８５の投影位置を含む冷蔵室２の側壁内部には、固定手段８２が配置されている。この構成において、支持部材８０の突起部８０ｂは、固定手段８２のＵ字状部８２ａに引っ掛けられて固定されるため、位置規制される。
【００２８】
なお、先に述べた通り、支持部材８０には棚１１ａの荷重を集中して支持する必要がないため、固定手段８２は突起部８０ｂが取付孔８５から抜けないようにする役割を果たす剛性であればよい。
【００２９】
冷蔵庫の壁内にはウレタンフォーム等の発泡断熱材が充填される。そのため、組立後には固定部材８２そのものが発泡断熱材で固定されて、固定部材８２が棚１１ａからの荷重で外れることを抑制している。また、固定部材８２は発泡断熱材側に突出したリブ形状部８２ｂを有し、このリブ形状部８２ｂが発泡断熱材内に埋もれることで、固定手段８２と発泡断熱材の密着度が増して、固定手段８２の強度を増加させている。
【００３０】
次に、棚の支持の構成について説明する。図５は、本発明の実施例における棚１１ａ及び支持部材８０の断面図である。
【００３１】
支持部材８０は、上面に凹形状８０ａを有しており（適宜、図４Ａ参照）、棚１１ａ端部の下方に向けて設けた凸形状１１ａ１が凹形状８０ａ内に位置することで、前後左右への棚１１ａの移動に対してストッパーの役割を果たし、棚１１ａの脱落を防止している。
【００３２】
ここで、棚１１ａの荷重を受ける部分、すなわち、前側突部６１ｃと後側突部６１ｄに凹形状を設けると、厚みが減って強度が低下することとなる。よって、なるべく棚１１ａの荷重を受ける部分の薄肉化は避ける必要がある。そこで本実施例では、支持部材８０は棚１１ａの左右方向の移動を規制する機能を主として、棚１１ａの重力方向の荷重は、支持部材８０の前後の前側突部６１ｃと後側突部６１ｄで支持する構成とする。
【００３３】
これにより、棚１１ａの荷重を受ける機能を前側突部６１ｃと後側突部６１ｄ、棚１１ａのずれを規制する機能を支持部材８０にそれぞれ分担させて、棚１１ａの支持部分の強度確保及び脱落防止を適切に図ることができる。なお、支持部材８０の凹形状８０ａと棚１１ａの凸形状１１ａ１は、接触しても非接触でもよく、前側突部６１ｃと後側突部６１ｄに比べて棚１１ａから受ける荷重が小さくなる関係であればよい。
【００３４】
なお、支持部材８０に凸形状を設けて、棚１１ａに凹形状を設けることによっても、同様の効果が得られるが、この場合、冷蔵室２内壁で構成する突部６１の上面よりも支持部材８０の凸形状が上に突出することになる。冷蔵室２内壁を真空成形で一体に製作する場合、突部６１の上面は発泡断熱材を充填する時の変形を抑えるために冶具で抑えなければならないため、なるべく凸形状を避けて冶具で抑える必要がある。そこで、本実施例のように支持部材８０側を凹形状８０ａにすれば、発泡時の問題がなく、より容易に棚１１ａを支持する構造にすることができる。
【００３５】
なお、本発明は上記した実施例に限定されるものではなく、様々な変形例が含まれる。例えば、支持部材８０は、本実施例で説明した棚の脱落防止の構成及び機能だけでなく、他の構成及び機能を備えることも可能である。また、支持部材８０の内部に温度センサを配置する構成や、支持部材８０を透光性材料で形成して、内部に照明手段（ＬＥＤ等）を設置することで庫内照明とする構成も可能である。
【００３６】
いずれの用途にしても、本実施例の構成の支持部材を支持部に設けることで、強度上の問題及び棚の位置ずれを解決することができる。すなわち、本実施例では最上段の棚１１ａと冷蔵室２の左側壁面の突部６１との関係を中心に説明したが、冷蔵室２の右側壁面の突部６２や中央仕切り５１の突部６３を、突部６１と同様に構成したり、その他の棚１１ｂ、１１ｃ、１１ｄ、１１ｅ、１１ｆを棚１１ａと同様の構成にしたりすることで、さらに棚の支持強度を向上し、棚の位置ずれ防止の効果を高めることができる。
【００３７】
すなわち、上記した実施例は本発明を分かりやすく説明するために詳細に説明したものであり、必ずしも説明した全ての構成を備えるものに限定されるものではない。
【符号の説明】
【００３８】
１  冷蔵庫本体
２  冷蔵室（貯蔵室）
１１ａ、１１ｂ、１１ｃ、１１ｄ、１１ｅ、１１ｆ  棚
１１ａ１  凸形状
５１、５２  中央仕切り
６１、６２、６３  突部
６１ａ  突部（第一の位置）
６１ｂ  突部（第二の位置）
６１ｃ  前側突部
６１ｄ  後側突部
６１ｃ１、６１ｄ１  傾斜部
８０  支持部材
８０ａ  凹形状
８０ｂ  突起部
８２  固定手段
８２ａ  Ｕ字状部
８２ｂ  リブ形状部
８５  取付孔
【図１】
2014052107.tif 000003
【図２Ａ】
2014052107.tif 000004
【図２Ｂ】
2014052107.tif 000005
【図３Ａ】
2014052107.tif 000006
【図３Ｂ】
2014052107.tif 000007
【図３Ｃ】
2014052107.tif 000008
【図４Ａ】
2014052107.tif 000009
【図４Ｂ】
2014052107.tif 000010
【図５】
2014052107.tif 000011